(57)【特許請求の範囲】
【請求項１】
ワイヤレス通信のための方法であって、
中継局で上流局からのパケットの第１の送信を受信することと、
前記第１の送信のピーク平均電力比（ＰＡＰＲ）を決定することと、
前記第１の送信について高ＰＡＰＲが検出された場合に、否定応答（ＮＡＣＫ）を前記上流局に送ることと、
前記第１の送信について高ＰＡＰＲが検出されない場合に、下流局に前記第１の送信を転送することと
を備える方法。
【請求項２】
前記第１の送信について高ＰＡＰＲが検出された場合に、前記第１の送信を前記下流局に転送しないこと
をさらに備える請求項１に記載の方法。
【請求項３】
前記第１の送信の前記ＰＡＰＲを前記決定することが、前記中継局によって前記第１の送信の前記ＰＡＰＲを計算することを備える、請求項１に記載の方法。
【請求項４】
前記第１の送信の前記ＰＡＰＲを前記決定することが、前記上流局から前記第１の送信の前記ＰＡＰＲを受信することを備える、請求項１に記載の方法。
【請求項５】
前記第１の送信の前記ＰＡＰＲを閾値と比較することと、
前記第１の送信の前記ＰＡＰＲが前記閾値を超える場合に、高ＰＡＰＲを検出することと
をさらに備える、請求項１に記載の方法。
【請求項６】
前記閾値が、前記下流局の復号機能、前記下流局によって観察されるチャネル状態、前記中継局によって観察されるチャネル状態、前記上流局での電力増幅器のバックオフ、またはそれらの組合せに基づいて決定される、請求項５に記載の方法。
【請求項７】
前記第１の送信を前記転送することが、
前記上流局から受信した前記第１の送信を増幅して増幅信号を取得することと、
前記パケットを回復するために、前記第１の送信を復号することなく、前記下流局に前記増幅信号を送信することと
を備える、請求項１に記載の方法。
【請求項８】
前記第１の送信について前記ＮＡＣＫが前記上流局に送られる場合に、前記パケットの第２の送信を受信することをさらに備え、前記第１および第２の送信が、前記パケットについての異なる冗長情報を備え、異なるＰＡＰＲを有する
請求項１に記載の方法。
【請求項９】
ワイヤレス通信のための装置であって、
中継局で上流局からのパケットの第１の送信を受信するための手段と、
前記第１の送信のピーク平均電力比（ＰＡＰＲ）を決定するための手段と、
前記第１の送信について高ＰＡＰＲが検出された場合に、否定応答（ＮＡＣＫ）を前記上流局に送るための手段と、
前記第１の送信について高ＰＡＰＲが検出されない場合に、下流局に前記第１の送信を転送するための手段と
を備える装置。
【請求項１０】
前記第１の送信について高ＰＡＰＲが検出された場合に、前記第１の送信を前記下流局に転送しないための手段
をさらに備える請求項９に記載の装置。
【請求項１１】
前記第１の送信の前記ＰＡＰＲを閾値と比較するための手段と、
前記第１の送信の前記ＰＡＰＲが前記閾値を超える場合に、高ＰＡＰＲを検出するための手段と
をさらに備える、請求項９に記載の装置。
【請求項１２】
ワイヤレス通信のための装置であって、
中継局で上流局からのパケットの第１の送信を受信し、前記第１の送信のピーク平均電力比（ＰＡＰＲ）を決定し、前記第１の送信について高ＰＡＰＲが検出された場合に、否定応答（ＮＡＣＫ）を前記上流局に送り、前記第１の送信について高ＰＡＰＲが検出されない場合に、下流局に前記第１の送信を転送するように構成された少なくとも１つのプロセッサ
を備える装置。
【請求項１３】
前記少なくとも１つのプロセッサが、前記第１の送信について高ＰＡＰＲが検出された場合に、前記第１の送信を前記下流局に転送しないように構成された、請求項１２に記載の装置。
【請求項１４】
前記少なくとも１つのプロセッサが、前記第１の送信の前記ＰＡＰＲを閾値と比較し、前記第１の送信の前記ＰＡＰＲが前記閾値を超える場合に、高ＰＡＰＲを検出するように構成された、請求項１２に記載の装置。
【請求項１５】
少なくとも１つのコンピュータに、中継局で上流局からのパケットの第１の送信を受信させるためのコードと、
前記少なくとも１つのコンピュータに、前記第１の送信のピーク平均電力比（ＰＡＰＲ）を決定させるためのコードと、
前記第１の送信について高ＰＡＰＲが検出された場合に、前記少なくとも１つのコンピュータに、否定応答（ＮＡＣＫ）を前記上流局に送らせるためのコードと、
前記第１の送信について高ＰＡＰＲが検出されない場合に、前記少なくとも１つのコンピュータに、前記第１の送信を下流局に転送させるためのコードと
が記憶されたコンピュータ可読記憶媒体。
【請求項１６】
ワイヤレス通信のための方法であって、
下流局に転送するために上流局からのパケットの第１の送信を中継局に送ることと、
前記中継局から第１のタイプの否定応答（ＮＡＣＫ Ｔｙｐｅ １）が受信された場合に、前記中継局に前記パケットの第２の送信を送ることであり、前記ＮＡＣＫ Ｔｙｐｅ １が、前記第１の送信について高ピーク平均電力比（ＰＡＰＲ）が検出されたために、前記中継局によって送られることと
を備える方法。
【請求項１７】
前記下流局から第２のタイプの否定応答（ＮＡＣＫ Ｔｙｐｅ ２）が受信された場合に、前記中継局に前記パケットの前記第２の送信を送ることであり、前記ＮＡＣＫ Ｔｙｐｅ ２が、前記パケットが誤って復号されたために、前記下流局によって送られること
をさらに備える請求項１６に記載の方法。
【請求項１８】
前記中継局からＮＡＣＫ Ｔｙｐｅ １が受信された場合に、前記上流局の少なくとも１つの送信パラメータを調整すること
をさらに備える請求項１６に記載の方法。
【請求項１９】
ワイヤレス通信のための装置であって、
下流局に転送するために上流局からのパケットの第１の送信を中継局に送るための手段と、
前記中継局から第１のタイプの否定応答（ＮＡＣＫ Ｔｙｐｅ １）が受信された場合に、前記中継局に前記パケットの第２の送信を送るための手段であり、前記ＮＡＣＫ Ｔｙｐｅ １が、前記第１の送信について高ピーク平均電力比（ＰＡＰＲ）が検出されたために、前記中継局によって送られる、手段と
を備える装置。
【請求項２０】
前記下流局から第２のタイプの否定応答（ＮＡＣＫ Ｔｙｐｅ ２）が受信された場合に、前記中継局に前記パケットの前記第２の送信を送るための手段であり、前記ＮＡＣＫ Ｔｙｐｅ ２が、前記パケットが誤って復号されたために、前記下流局によって送られる、手段
をさらに備える請求項１９に記載の装置。
【請求項２１】
前記中継局からＮＡＣＫ Ｔｙｐｅ １が受信された場合に、前記上流局の少なくとも１つの送信パラメータを調整するための手段
をさらに備える請求項１９に記載の装置。
【請求項２２】
ワイヤレス通信のための方法であって、
中継局で上流局からのパケットの第１の送信を受信することと、
前記第１の送信についてピーク平均電力比（ＰＡＰＲ）復号を実行することと、
前記ＰＡＰＲ復号が失敗した場合に、前記上流局に第１のタイプの否定応答（ＮＡＣＫ Ｔｙｐｅ １）を送ることと、
前記ＰＡＰＲ復号がパスした場合に、前記第１の送信に基づいて前記パケットについてのチャネル復号を実行することと、
前記パケットが誤って復号された場合に、前記上流局に第２のタイプの否定応答（ＮＡＣＫ Ｔｙｐｅ ２）を送ることと
を備える方法。
【請求項２３】
前記ＰＡＰＲ復号が失敗した場合に、前記パケットについてのチャネル復号を実行しないこと
をさらに備える請求項２２に記載の方法。
【請求項２４】
前記パケットが正しく復号された場合に、前記中継局からの前記パケットの前記第１の送信を下流局に送ること
をさらに備える請求項２２に記載の方法。
【請求項２５】
ＰＡＰＲ復号を前記実行することが、選択的マッピング（ＳＭ）または部分的送信シーケンス（ＰＴＳ）に基づいて、前記第１の送信についてのＰＡＰＲ復号を実行することを備える、請求項２２に記載の方法。
【請求項２６】
前記第１の送信についてＮＡＣＫ Ｔｙｐｅ １またはＮＡＣＫ Ｔｙｐｅ ２が送られる場合に、前記上流局から前記パケットの第２の送信を受信すること
をさらに備える請求項２２に記載の方法。
【請求項２７】
前記第２の送信についてＰＡＰＲ復号を実行することと、
前記第２の送信について前記ＰＡＰＲ復号が失敗した場合に、前記上流局にＮＡＣＫ Ｔｙｐｅ １を送ることと、
前記第２の送信について前記ＰＡＰＲ復号がパスした場合に、前記第１および第２の送信に基づいて前記パケットについてのチャネル復号を実行することと、
前記パケットが前記第１および第２の送信に基づいて誤って復号された場合に、前記上流局にＮＡＣＫ Ｔｙｐｅ ２を送ることと
をさらに備える請求項２６に記載の方法。
【請求項２８】
前記パケットの前記第１および第２の送信が、前記パケットについての２つのハイブリッド自動再送（ＨＡＲＱ）送信である、請求項２６に記載の方法。
【請求項２９】
ワイヤレス通信のための装置であって、
中継局で上流局からのパケットの第１の送信を受信するための手段と、
前記第１の送信についてピーク平均電力比（ＰＡＰＲ）復号を実行するための手段と、
前記ＰＡＰＲ復号が失敗した場合に、前記上流局に第１のタイプの否定応答（ＮＡＣＫ Ｔｙｐｅ １）を送るための手段と、
前記ＰＡＰＲ復号がパスした場合に、前記第１の送信に基づいて前記パケットについてのチャネル復号を実行するための手段と、
前記パケットが誤って復号された場合に、前記上流局に第２のタイプの否定応答（ＮＡＣＫ Ｔｙｐｅ ２）を送るための手段と
を備える装置。
【請求項３０】
前記ＰＡＰＲ復号が失敗した場合に、前記パケットについてのチャネル復号を実行しないための手段
をさらに備える請求項２９に記載の装置。
【請求項３１】
前記パケットが正しく復号された場合に、前記中継局からの前記パケットの前記第１の送信を下流局に送るための手段
をさらに備える請求項２９に記載の装置。
【請求項３２】
ワイヤレス通信のための装置であって、
下流局に転送するためにパケットの第１の送信を中継局に送り、前記中継局から第１のタイプの否定応答（ＮＡＣＫ Ｔｙｐｅ １）が受信された場合に、前記中継局に前記パケットの第２の送信を送るように構成された少なくとも１つのプロセッサを備え、前記ＮＡＣＫ Ｔｙｐｅ １が、前記第１の送信について高ピーク平均電力比（ＰＡＰＲ）が検出されたために、前記中継局によって送られる、装置。
【請求項３３】
少なくとも１つのコンピュータに、下流局に転送するためにパケットの第１の送信を中継局に送らせるためのコードと、
前記中継局から第１のタイプの否定応答（ＮＡＣＫ Ｔｙｐｅ １）が受信された場合に、前記少なくとも１つのコンピュータに、前記中継局に前記パケットの第２の送信を送らせるためのコードとが記憶されたコンピュータ可読記憶媒体であって、前記ＮＡＣＫ Ｔｙｐｅ １が、前記第１の送信について高ピーク平均電力比（ＰＡＰＲ）が検出されたために、前記中継局によって送られる、コンピュータ可読記憶媒体。
【請求項３４】
ワイヤレス通信のための装置であって、
上流局からのパケットの第１の送信を受信し、前記第１の送信についてピーク平均電力比（ＰＡＰＲ）復号を実行し、前記ＰＡＰＲ復号が失敗した場合に、前記上流局に第１のタイプの否定応答（ＮＡＣＫ Ｔｙｐｅ １）を送り、前記ＰＡＰＲ復号がパスした場合に、前記第１の送信に基づいて前記パケットについてのチャネル復号を実行し、前記パケットが誤って復号された場合に、前記上流局に第２のタイプの否定応答（ＮＡＣＫ Ｔｙｐｅ ２）を送るように構成された、少なくとも１つのプロセッサ
を備える、装置。
【請求項３５】
少なくとも１つのコンピュータに、上流局からのパケットの第１の送信を受信させるためのコードと、
前記少なくとも１つのコンピュータに、前記第１の送信についてピーク平均電力比（ＰＡＰＲ）復号を実行させるためのコードと、
前記ＰＡＰＲ復号が失敗した場合に、前記少なくとも１つのコンピュータに、前記上流局に第１のタイプの否定応答（ＮＡＣＫ Ｔｙｐｅ １）を送らせるためのコードと、
前記ＰＡＰＲ復号がパスした場合に、前記少なくとも１つのコンピュータに、前記第１の送信に基づいて前記パケットについてのチャネル復号を実行させるためのコードと、
前記パケットが誤って復号された場合に、前記少なくとも１つのコンピュータに、前記上流局に第２のタイプの否定応答（ＮＡＣＫ Ｔｙｐｅ ２）を送らせるためのコードと
が記憶されたコンピュータ可読記憶媒体。
【発明の詳細な説明】
【技術分野】
【０００１】
本開示は、一般に通信に関し、より詳細には、ワイヤレス通信システムにおいてデータを送信するための技法に関する。
【背景技術】
【０００２】
ワイヤレス通信システムは、ボイス、ビデオ、パケットデータ、メッセージング、ブロードキャストなど、様々な通信コンテンツを提供するために広く展開されている。これらのワイヤレスシステムは、利用可能なシステムリソースを共有することによって複数のユーザをサポートできる多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングルキャリアＦＤＭＡ（ＳＣ−ＦＤＭＡ）システムがある。
【０００３】
ワイヤレス通信システムは、いくつかのワイヤレスデバイスの通信をサポートできるいくつかの基地局を含むことができる。ワイヤレスデバイスは、ワイヤレスデバイスと基地局との間の通信チャネルが許容可能な品質を有する場合に、基地局と直接通信できる。ワイヤレスデバイスは、ワイヤレスデバイスと基地局との間の通信チャネルの品質が不十分である場合に、中継局を介して基地局と間接的に通信できる。中継局は、上流局（たとえば基地局）から第１の信号を受信し、第１の信号を処理して第２の信号を取得し、第２の信号を下流局（たとえばワイヤレスデバイス）に転送することによって、ワイヤレスデバイスと基地局との間の通信を容易にできる。中継局は、さらなる待ち時間／遅延をもたらす可能性があり、追加の処理を必要とする可能性がある。中継局を介したワイヤレスデバイスと基地局との間の通信を効率的にサポートすることが望ましい可能性がある。
【発明の概要】
【０００４】
中継局によって通信をサポートするための技法について、本明細書で説明する。一態様では、中継局は、増幅転送（ＡＦ：amplify-and-forward）モードで動作するとき、否定応答（ＮＡＣＫ）をサポートできる。１つの設計では、中継局は、ＡＦモードで動作するとき、上流局からパケットの第１の送信を受信できる。中継局は、第１の送信のピーク平均電力比（ＰＡＰＲ）を決定できる。中継局は、高ＰＡＰＲが検出された場合に、上流局にＮＡＣＫを送ることができる。中継局は、高ＰＡＰＲが検出されない場合に、下流局に第１の送信を転送することができ、高ＰＡＰＲが検出された場合に、第１の送信を転送することをスキップできる。上流局は、中継局からＮＡＣＫを受信することに応答して、パケットの別の送信を送ることができる。
【０００５】
別の態様では、中継局は、復号転送（ＤＦ：decode-and-forward）モードで動作するとき、第１のタイプの否定応答（ＮＡＣＫ  Ｔｙｐｅ  １）、および第２のタイプの否定応答（ＮＡＣＫ  Ｔｙｐｅ  ２）をサポートできる。ＮＡＣＫ  Ｔｙｐｅ  １は、チャネル復号を実行することなしに送られるＮＡＣＫである。ＮＡＣＫ  Ｔｙｐｅ  ２は、チャネル復号エラーのために送られるＮＡＣＫである。１つの設計では、中継局は、上流局からパケットの第１の送信を受信することができ、第１の送信のＰＡＰＲ復号を実行できる。ＰＡＰＲ復号が失敗した場合に、中継局は、上流局にＮＡＣＫ  Ｔｙｐｅ  １を送ることができる。ＰＡＰＲ復号がパスした場合に、中継局は、第１の送信に基づいてパケットについてのチャネル復号を実行できる。中継局は、パケットが誤って復号された場合に、上流局にＮＡＣＫ  Ｔｙｐｅ  ２を送ることができ、パケットが正しく復号された場合に、下流局にパケットの第１の送信を送ることができる。
【０００６】
さらに他の態様では、中継局は、ＡＦモードまたはＤＦモードのいずれかで動作するように構成可能とすることができる。ＡＦモードまたはＤＦモードは、たとえばホップ距離、受信信号品質、ビット誤り率（ＢＥＲ）、パケット誤り率（ＰＥＲ）など１つまたは複数の基準に基づいて選択され得る。中継局は、ＡＦモードが選択された場合に、上流局と下流局との間の通信をサポートするために、信号を増幅し、転送できる。中継局は、ＤＦモードが選択された場合に、上流局と下流局との間の通信をサポートするために、信号を復号し、転送できる。１つの設計では、中継局は、ＡＦモードでＮＡＣＫ  Ｔｙｐｅ  １をサポートすることができ、ＤＦモードでＮＡＣＫ  Ｔｙｐｅ  １およびＮＡＣＫ  Ｔｙｐｅ  ２をサポートできる。
【０００７】
本開示の様々な態様および特徴について以下でさらに詳細に説明する。
【図面の簡単な説明】
【０００８】
【図１】ワイヤレス通信システムを示す図。
【図２】異なるＰＡＰＲを有する２つの信号のプロット。
【図３】ワイヤレスデバイス、中継局、および基地局のブロック図。
【図４Ａ】ＮＡＣＫ  Ｔｙｐｅ  １によるＡＦモードの中継局を介したデータ送信についてのメッセージフロー。
【図４Ｂ】ＮＡＣＫ  Ｔｙｐｅ  １によるＡＦモードの中継局を介したデータ送信についてのメッセージフロー。
【図５】図４Ａおよび図４Ｂのメッセージフローをサポートする上流局、中継局、および下流局のブロック図。
【図６】ＮＡＣＫ  Ｔｙｐｅ  １およびＮＡＣＫ  Ｔｙｐｅ  ２によるＤＦモードの中継局を介したデータ送信についてのメッセージフロー。
【図７】図６のメッセージフローをサポートする上流局および中継局のブロック図。
【図８】中継局による通信をサポートするためのプロセスを示す図。
【図９】上流局によってデータを送信するためのプロセスを示す図。
【図１０】中継局を動作させるためのプロセスを示す図。
【図１１】中継局による通信をサポートするためのプロセスを示す図。
【発明を実施するための形態】
【０００９】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用できる。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装できる。ＵＴＲＡは、Ｗｉｄｅｂａｎｄ  ＣＤＭＡ（ＷＣＤＭＡ）およびＣＤＭＡの他の変形態を含む。ｃｄｍａ２０００は、ＩＳ−２０００、ＩＳ−９５、およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ(登録商標)）などの無線技術を実装できる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装できる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のシステムおよび無線技術、ならびに他のシステムおよび無線技術に使用できる。
【００１０】
図１に、いくつかの基地局と、中継局と、他のネットワークエンティティとを含み得るワイヤレス通信システム１００を示す。簡単のために、図１には、１つのみの基地局１３０および１つのみの中継局１２０が示される。基地局は、ワイヤレスデバイスと通信する局であり、ノードＢ、発展型ノードＢ（ｅＮＢ）、アクセスポイントなどとも呼ばれることがある。基地局は特定の地理的エリア内のワイヤレスデバイスに通信カバレージを与えることができる。基地局は、ダウンリンクおよびアップリンクを介してワイヤレスデバイスと通信し得る。ダウンリンク（または順方向リンク）は基地局からワイヤレスデバイスへの通信リンクを指し、アップリンク（または逆方向リンク）はワイヤレスデバイスから基地局への通信リンクを指す。
【００１１】
中継局は、上流局（たとえば、基地局）からデータおよび／または他の情報の送信を受信し、そのデータおよび／または他の情報の送信を下流局（たとえば、ワイヤレスデバイス）に送信する局である。中継局は、他局に対する送信を中継するために設けられている局であり得る。中継局は、他のワイヤレスデバイスに対する送信を中継できるワイヤレスデバイスであってもよい。中継局は、リレー、中継基地局などとも呼ばれ得る。中継局は、アクセスリンクを介してワイヤレスデバイスと通信することができ、ワイヤレスデバイスと基地局との間の通信をサポートするために、バックホールリンクを介して基地局と通信できる。
【００１２】
ワイヤレスデバイス１１０は、固定でも移動でもよく、移動局、ユーザ機器（ＵＥ）、端末、アクセス端末、加入者ユニット、局などと呼ばれることもある。ワイヤレスデバイス１１０は、セルラー電話、携帯情報端末（ＰＤＡ）、ワイヤレスモデム、ハンドヘルドデバイス、ラップトップコンピュータ、コードレス電話、ワイヤレスローカルループ（ＷＬＬ）局などであり得る。ワイヤレスデバイス１１０は、基地局１３０と直接通信する（図１には図示せず）ことができ、または（図１に示すように）中継局１２０を介して基地局１３０と間接的に通信できる。
【００１３】
図１は、中継局１２０を介したワイヤレスデバイス１１０と基地局１３０との間の例示的な送信も示す。アップリンク（ＵＬ）上のデータ送信では、ワイヤレスデバイス１１０は、アクセスアップリンク上でデータおよび制御情報を中継局１２０に送信することができ、中継局１２０はバックホールアップリンク上でデータおよび制御情報を基地局１３０に転送できる。基地局１３０は、バックホールダウンリンク上でフィードバック情報を中継局１２０に送信することができ、中継局１２０はアクセスダウンリンク上でフィードバック情報をワイヤレスデバイス１１０に転送できる。ダウンリンク（ＤＬ）上のデータ送信では、基地局１３０は、バックホールダウンリンク上でデータと制御情報とを中継局１２０に送信することができ、中継局１２０はアクセスダウンリンク上でデータと制御情報とをワイヤレスデバイス１１０に転送できる。ワイヤレスデバイス１１０は、アクセスアップリンク上でフィードバック情報を中継局１２０に送信することができ、中継局１２０はバックホールアップリンク上でフィードバック情報を基地局１３０に転送できる。一方のリンク（たとえば、ダウンリンク）上で送られるフィードバック情報は、他方のリンク（たとえば、アップリンク）上のデータ送信をサポートできる。フィードバック情報は、通信チャネルの品質を示すチャネル品質インジケータ（ＣＱＩ）、正しく復号されたパケットについてのＡＣＫ、誤って復号されたパケットについてのＮＡＣＫ、および／または他の情報を備え得る。
【００１４】
システム１００は、データ送信の信頼性を向上させるために、ダウンリンクおよび／またはアップリンク上のデータ送信のためのハイブリッド自動再送信（ＨＡＲＱ）をサポートできる。ＨＡＲＱの場合に、送信機は、データパケットの送信を受信機に送ることができ、必要に応じて、パケットが受信機によって正しく復号されるか、または、パケットに関して最大回数の送信が送られているか、または何らかの他の終了条件に遭遇するまで、パケットの１回または複数回の追加の送信を送ることができる。パケットの各送信は、パケットに関する異なる冗長情報を含むことができ、ＨＡＲＱ送信と呼ばれ得る。受信機は、パケットについて受信されたすべてのＨＡＲＱ送信に基づいて、パケットを復号することができ、これはパケットを正しく復号する可能性を向上させ得る。
【００１５】
システム１００は、直交周波数分割多重化（ＯＦＤＭ）および／またはシングルキャリア周波数分割多重化（ＳＣ−ＦＤＭ）を利用できる。たとえば、システム１００は、ダウンリンクにおけるＯＦＤＭおよびアップリンクにおけるＳＣ−ＦＤＭをサポートするＬＴＥシステムでもよい。システム１００は、ダウンリンクとアップリンクの両方におけるＯＦＤＭをサポートするＷｉＭＡＸシステムまたはＷｉ−Ｆｉシステムでもよい。いずれの場合も、ＯＦＤＭおよびＳＣ−ＦＤＭは、周波数レンジを、一般にトーン、ビンなどとも呼ばれる複数（ＮFFT個）の直交サブキャリアに分割する。各サブキャリアはデータで変調され得る。一般に、変調シンボルは、ＯＦＤＭでは周波数領域で、ＳＣ−ＦＤＭでは時間領域で送られる。
【００１６】
ＯＦＤＭおよびＳＣ−ＦＤＭは、マルチパスの影響をなくす能力など、いくつかの望ましい特性を有する。しかしながら、ＯＦＤＭについての主要な欠点、およびそれほどにはないにせよ、ＳＣ−ＦＤＭについての欠点は、出力信号のＰＡＰＲが高いことであり、これは、出力信号の平均電力に対するピーク電力の比率が高くなり得ることを意味する。ＯＦＤＭでは、ＮFFT個の全サブキャリアは、データによって別々に変調することができ、それらがデータによって別々に変調されるとき、高ＰＡＰＲは、すべてのサブキャリアの可能性がある同相加算に起因し得る。実際、ピーク電力がＯＦＤＭでの平均電力よりも最高Ｑ倍大きくなり得ることを示すことができ、この場合、Ｑは、送信に使用されるサブキャリアの数である。
【００１７】
出力信号の高ＰＡＰＲは、通常、送信機における電力増幅器が平均電力レベルで動作されることを必要とし、平均電力レベルは、ピーク電力レベルよりもはるかに低い可能性があり、すなわちピーク電力からバックオフされる可能性がある。これは、出力信号におけるピークが大きいことによって、電力増幅器は、極めて非線形の領域で動作し、または場合によってはクリッピングし、これによって次いで、性能を低下させ得る相互変調歪および他のアーティファクトが生じ得る。ピーク電力からのバックオフで電力増幅器を動作させることによって、電力増幅器は、過度の歪曲を生成することなく、出力信号における大きいピークを処理できる。しかしながら、バックオフは、大きいピークが出力信号に存在しない他のときの間の電力増幅器の非効率な動作を表す。
【００１８】
図２に、異なるＰＡＰＲを有する２つの出力信号２１０および２１２のプロットを示す。水平軸は時間を示し、垂直軸は電力を示す。出力信号２１０は、ＰAVG1の平均電力とＰPEAK1のピーク電力とを有する。出力信号２１２は、ＰAVG2の平均電力（ＰAVG1よりも低い）とＰPEAK2のピーク電力（ＰPEAK1よりも高い）とを有する。
【００１９】
相互変調歪の量を制限するために、電力増幅器は、電力増幅器の最大電力レベルからバックオフされる平均電力レベルで動作され得る。バックオフする量は、電力増幅器が極めて非線形の領域において動作しない（または最小限動作する）またはクリッピングしないように選択される。より詳細には、バックオフは、通常、電力増幅器によって生成される歪曲が特定のレベルに制限されるように選択される。電力増幅器の最大電力レベルが出力信号のピーク電力に等しい場合、バックオフは出力信号のＰＡＰＲに等しくてもよい。図２に示すように、ＢＯ1のより小さいバックオフは、ＰＡＰＲがより小さいために出力信号２１０に使用することができ、より大きいバックオフＢＯ2は、ＰＡＰＲがより大きいために出力信号２１２に使用できる。
【００２０】
システム１００は、高ＰＡＰＲに対処し、性能を向上させるために、ＡＣＫおよびＮＡＣＫのフィードバックによりデータ送信をサポートできる。送信機は、チャネル符号化を伴い、さらにＰＡＰＲ符号化を伴うまたは伴わない、データパケットの送信を送ることができる。受信機は、パケットの送信を受信し、処理することができ、ＰＡＰＲ符号化が送信機によって実行され、受信機によるＰＡＰＲ復号が失敗した場合に、ＮＡＣＫ  Ｔｙｐｅ  １を送ることができる。ＰＡＰＲ符号化が送信機によって実行されず、受信機によって高ＰＡＰＲが検出された場合にも、受信機はＮＡＣＫ  Ｔｙｐｅ  １を送ることができる。ＮＡＣＫ  Ｔｙｐｅ  １が送られない場合に、受信機はチャネル復号を実行できる。受信機は、チャネル復号が不成功の場合に、ＮＡＣＫ  Ｔｙｐｅ  ２を送ることができ、チャネル復号が成功した場合に、ＡＣＫを送ることができる。ＮＡＣＫ  Ｔｙｐｅ  １またはＮＡＣＫ  Ｔｙｐｅ  ２が受信された場合に、送信機は、異なるＰＡＰＲ符号化および／または異なるチャネル符号化を伴うパケットの別の送信を生成することができ、パケットのこの送信を受信機に送ることができる。送信機および受信機による処理について、以下でさらに詳細に説明する。
【００２１】
図３に、ワイヤレスデバイス１１０、中継局１２０、および基地局１３０の設計のブロック図を示す。ワイヤレスデバイス１１０で、送信プロセッサ３１０は、送信するデータを受信することができ、変調符号化方式に従ってデータを処理（たとえば、符号化、インターリーブ、およびシンボルマッピング）して、データシンボルを取得できる。また、送信プロセッサ３１０は、制御および／またはフィードバック情報を処理して、制御シンボルを取得できる。次いで、送信プロセッサ３１０は、データシンボルと、制御シンボルと、パイロットシンボルとを多重化できる。本明細書で使用するデータシンボルは、データのためのシンボルであり、制御シンボルは、制御またはフィードバック情報のためのシンボルであり、パイロットシンボルは、パイロットまたは基準信号のためのシンボルであり、シンボルは、実数値または複素数値であり得る。パイロットは、送信機と受信機の両方によってアプリオリに知られているデータである。変調器（ＭＯＤ）３１２は、（たとえば、ＯＦＤＭ、ＳＣ−ＦＤＭなどで）多重化されたシンボルを処理して、出力サンプルを生成できる。変調器３１２は、出力サンプルをさらに調整（たとえば、アナログに変換、増幅、フィルタ処理、およびアップコンバート）してアップリンク信号を生成し、アップリンク信号はデュプレクサ／スイッチ３１６を介して配信され、中継局１２０および／または基地局１３０に送信され得る。
【００２２】
中継局１２０で、ワイヤレスデバイス１１０からのアップリンク信号は、デュプレクサ／スイッチ３４６を介して配信され、復調器（ＤＥＭＯＤ）３４８によって調整（たとえば、フィルタ処理、増幅、ダウンコンバート、およびデジタル化）されて、入力サンプルが取得され得る。復調器３４８はさらに、（たとえば、ＯＦＤＭ、ＳＣ−ＦＤＭなどで）入力サンプルを処理して、受信シンボルを取得できる。受信プロセッサ３５０は、受信シンボルを処理（たとえばシンボルデマッピング、デインターリーブ、および復号）して、ワイヤレスデバイス１１０によって送信されたデータおよび他の情報を回復できる。
【００２３】
バックホールアップリンク上で、送信プロセッサ３４０は、ワイヤレスデバイス１１０から受信されたデータおよび他の情報を処理（たとえば、符号化、インターリーブ、およびシンボルマッピング）して、データシンボルおよび制御シンボルを取得できる。変調器３４２は、（たとえば、ＯＦＤＭ、ＳＣ−ＦＤＭなどで）データシンボルと、制御シンボルと、パイロットシンボルとを処理して、出力サンプルを取得できる。変調器３４２はさらに、出力サンプルを調整して、バックホールアップリンク信号を生成することができ、この信号は、デュプレクサ／スイッチ３４６を介して配信され、基地局１３０に送信され得る。
【００２４】
基地局１３０で、中継局１２０からのバックホールアップリンク信号は、受信され、デュプレクサ／スイッチ３７６を介して配信され、復調器３７８によって調整され、処理され、受信プロセッサ３８０によってさらに処理されて、中継局１２０によって送信されたデータおよび他の情報を回復できる。
【００２５】
バックホールダウンリンク上で、基地局１３０において、ワイヤレスデバイス１１０を対象とするデータおよび他の情報は、送信プロセッサ３７０によって処理され、さらに変調器３７２によって処理され、調整されて、バックホールダウンリンク信号が生成され得、この信号は、中継局１２０に送信され得る。中継局１２０で、バックホールダウンリンク信号は、受信され、復調器３４８によって処理され、受信プロセッサ３５０によってさらに処理されて、ワイヤレスデバイス１１０に送信されたデータおよび他の情報が回復され得る。
【００２６】
アクセスダウンリンク上で、中継局１２０において、ワイヤレスデバイス１１０のためのデータおよび他の情報は、送信プロセッサ３４０によって処理され、変調器３４２によって調整されて、アクセスダウンリンク信号が生成され得、この信号は、ワイヤレスデバイス１１０に送信され得る。ワイヤレスデバイス１１０で、アクセスダウンリンク信号は、受信され、復調器３１８によって処理され、受信プロセッサ３２０によってさらに処理されて、ワイヤレスデバイス１１０に送信されたデータおよび他の情報が回復され得る。
【００２７】
コントローラ／プロセッサ３３０、３６０、および３９０は、それぞれワイヤレスデバイス１１０、中継局１２０、および基地局１３０おける動作を制御できる。メモリ３３２、３６２、および３９２は、それぞれワイヤレスデバイス１１０、中継局１２０、および基地局１３０のためのデータとプログラムコードとを記憶できる。
【００２８】
１つの設計では、中継局１２０は、表１に示される中継モードのうちの１つまたは複数をサポートできる。中継局１２０は、たとえば、表１に示され、以下で説明するように、異なる中継モードでの異なるＮＡＣＫタイプをサポートすることもできる。
【表１】
0005646735.tif 000002
【００２９】
一態様では、中継局１２０は、ＡＦモードで動作するとき、ＮＡＣＫ  Ｔｙｐｅ  １をサポートできる。中継局１２０は、上流局からパケットの送信を受信することができ、ＰＡＰＲ検出を実行して、高ＰＡＰＲを検出できる。中継局１２０は、高ＰＡＰＲが検出された場合に、ＮＡＣＫ  Ｔｙｐｅ  １を送ることができる。中継局１２０は、高ＰＡＰＲが検出されない場合に、下流局にパケットの送信を転送できる。
【００３０】
図４Ａに、ＮＡＣＫ  Ｔｙｐｅ  １によるＡＦモードの中継局１２０を介したデータ送信についてのメッセージフロー４００の設計を示す。上流局１１８は、中継局１２０を介して下流局１２２にデータ送信を送ることができる。ダウンリンク上のデータ送信では、上流局１１８は、基地局１３０でもよく、下流局１２２はワイヤレスデバイス１１０でもよい。アップリンク上のデータ送信では、上流局１１８は、ワイヤレスデバイス１１０でもよく、下流局１２２は基地局１３０でもよい。両方のケースで、チャネル符号化を伴い、ＰＡＰＲ符号化を伴わないデータ送信を送ることができる。
【００３１】
上流局１１８は、下流局１２２へのあるパケットのＨＡＲＱ送信を送ることができる（ステップ１）。中継局１２０は、ＨＡＲＱ送信を受信することができ、ＨＡＲＱ送信のＰＡＰＲを決定できる（ステップ２）。中継局１２０は、高ＰＡＰＲが検出された場合に、ＮＡＣＫ  Ｔｙｐｅ  １を上流局１１８に送ることができる（ステップ３）。１つの設計では、図４Ａに示すように、中継局１２０は、高ＰＡＰＲが検出された場合に、下流局１２２へのＨＡＲＱ送信の転送をスキップできる。別の設計では、中継局１２０は、高ＰＡＰＲが検出された場合でさえ、下流局１２２にＨＡＲＱ送信を転送できる（図４Ａには図示せず）。上流局１１８は、中継局１２０からＮＡＣＫ  Ｔｙｐｅ  １を受信し、高ＰＡＰＲを緩和するように、１つまたは複数の送信パラメータを調整できる（ステップ４）。たとえば、上流局１１８は、その電力増幅器のバックオフを増加させることができ、高ＰＡＰＲが検出された場合に、クリッピングを防止し、相互変調歪を低減するために、より低い平均送信電力レベルで動作できる。上流局１１８は、中継局１２０からＮＡＣＫ  Ｔｙｐｅ  １を受信することに応答して、パケットの別のＨＡＲＱ送信を送ることができる（ステップ５）。
【００３２】
図４Ｂに、ＮＡＣＫ  Ｔｙｐｅ  １によるＡＦモードの中継局１２０を介したデータ送信についてのメッセージフロー４１０の設計を示す。上流局１１８は、下流局１２２へのあるパケットのＨＡＲＱ送信を送ることができる（ステップ１）。中継局１２０は、ＨＡＲＱ送信を受信することができ、ＰＡＰＲを決定できる（ステップ２）。中継局１２０は、高ＰＡＰＲが検出されない場合に、ＨＡＲＱ送信を下流局１２２に転送できる（ステップ３）。下流局１２２は、中継局１２０からＨＡＲＱ送信を受信することができ、ＨＡＲＱ送信に基づいてパケットを復号できる（ステップ４）。下流局１２２は、パケットが正しく復号された場合に、ＡＣＫを送ることができ、パケットが誤って復号された場合に、ＮＡＣＫ  Ｔｙｐｅ  ２を送ることができる（ステップ５）。中継局１２０は、下流局１２２からＡＣＫまたはＮＡＣＫ  Ｔｙｐｅ  ２を受信することができ、上流局１１８にＡＣＫまたはＮＡＣＫ  Ｔｙｐｅ  ２を転送できる（ステップ６）。上流局１１８は、ＡＣＫまたはＮＡＣＫ  Ｔｙｐｅ  ２を受信することができ、ＡＣＫが受信された場合に、パケットの送信を終了することができ（図４Ｂには図示せず）、ＮＡＣＫ  Ｔｙｐｅ  ２が受信された場合に、パケットの別のＨＡＲＱ送信を送ることができる（ステップ７）。
【００３３】
図５に、上流局１１８、中継局１２０、および下流局１２２の設計のブロック図を示し、これらはそれぞれ、図４Ａおよび図４Ｂのメッセージフロー４００および４１０をサポートできる。上流局１１８で、チャネル符号器５１０（図３の送信プロセッサ３１０または３７０の一部であり得る）は、下流局１２２に送信すべきデータのパケットを受信することができ、パケットを処理して、対応する符号化パケットを取得できる。たとえば、チャネル符号器５１０は、パケットについての巡回冗長検査（ＣＲＣ）を生成し、パケットにＣＲＣを付加し、（たとえば畳み込みコード、ターボコード、低密度パリティチェック（ＬＤＰＣ）コード、ブロックコードおよび／または何らかの他のコードにより）パケットおよびＣＲＣを符号化して、符号化パケットを取得できる。ＨＡＲＱでは、チャネル符号器５１０は、符号化パケットを、ＨＡＲＱ送信ごとに１ブロックの、複数のブロックのコードビットに分割できる。各ブロックは、パケットについての異なるコードビット（すなわち、異なる冗長情報）を含むことができる。チャネル符号器５１０は、コードビットの各ブロックをインターリーブ（またはリオーダー）することができ、インターリーブされたビットをデータシンボルにマッピングできる。チャネル符号器５１０は、制御情報を処理して、制御シンボルを取得することもできる。
【００３４】
変調器５１２は、（たとえば、ＯＦＤＭ、ＳＣ−ＦＤＭなどで）データシンボルと、制御シンボルと、パイロットシンボルとを処理して、出力サンプルを取得できる。変調器５１２はさらに、その出力サンプルを調整（たとえば、アナログに変換、フィルタ処理、増幅、およびアップコンバート）して、ダウンストリーム信号が生成され得る。ダウンストリーム信号は、電力増幅器（ＰＡ）５１４によって増幅され、デュプレクサ／スイッチ５１６を介して配信され、中継局１２０および／または下流局１２２に送信され得る。
【００３５】
上流局１１８は、中継局１２０から上流中継信号を受信することができ、受信信号は、デュプレクサ／スイッチ５１６を介して配信され、復調器５１８によって処理されて、受信シンボルが取得され得る。受信フィードバックプロセッサ５２０（図３の受信プロセッサ３２０または３８０の一部であり得る）は、受信シンボルを処理して、中継局１２０によって送られたフィードバック情報を回復できる。フィードバック情報は、（ｉ）中継局１２０からのＮＡＣＫ  Ｔｙｐｅ  １および／または（ｉｉ）下流局１２２からのＡＣＫまたはＮＡＣＫ  Ｔｙｐｅ  ２を備え得る。上流局１１８は、フィードバック情報に基づいてデータ送信を制御できる。たとえば、上流局１１８は、中継局１２０からＮＡＣＫ  Ｔｙｐｅ  １が受信された場合に、または下流局１２２からＮＡＣＫ  Ｔｙｐｅ  ２が受信された場合に、パケットの別のＨＡＲＱ送信を送ることができる。上流局１１８は、中継局１２０からＮＡＣＫ  Ｔｙｐｅ  １が受信された場合に、電力増幅器５１４のバックオフを調整できる。上流局１１８は、下流局１２２からＡＣＫが受信された場合に、パケットの送信を終了することもできる。
【００３６】
中継局１２０は、上流局１１８からダウンストリーム信号を受信できる。受信信号は、デュプレクサ／スイッチ５４６を介して配信され、復調器５４８によって処理されて、入力サンプルが取得され得る。ＰＡＰＲ検出器５５０（図３の受信プロセッサ３５０の一部であり得る）は、ＨＡＲＱ送信についての入力サンプルに基づいて、あるパケットのＨＡＲＱ送信のＰＡＰＲを計算することができ、以下の通りである。
【数１】
0005646735.tif 000003
【数２】
0005646735.tif 000004
【００３７】
式中、ｘkは、ＨＡＲＱ送信についてのｋ番目の入力サンプルの複素数値を示し、
ＰavgはＨＡＲＱ送信の平均電力であり、
ＫはＰＡＰＲを計算するために使用される入力サンプルの数を示す。
【００３８】
ＰＡＰＲ検出器５５０は、たとえば、「On the computation and reduction of the peak-to-average power ratio in multicarrier communications」、IEEE Transactions on Communications、Volume 48、Issue 1、Jan 2000、pages 37-44という名称の文書にＴａｒｏｋｈらによって記載されているように、他の方法でＨＡＲＱ送信のＰＡＰＲを計算することもできる。
【００３９】
１つの設計では、ＰＡＰＲ検出器５５０は、計算されたＰＡＰＲをＰＡＰＲ閾値と比較することができ、ＰＡＰＲ閾値は、様々な基準に基づいて適切な値に設定できる。たとえば、ＰＡＰＲ閾値は、下流局１２２においてチャネル復号器５８０の機能を復号することに基づくように設定できる。ＰＡＰＲ閾値は、下流局１２２によって観察されるチャネル状態、上流局１１８の電力増幅器５１４のバックオフ、および／または他の基準に基づくように設定することもできる。一般に、累進的に高いＰＡＰＲ閾値が、累進的に強力な復号機能、累進的に高い受信信号品質、および／または累進的に大きいバックオフのために使用され得る。適切なＰＡＰＲ閾値は、コンピュータシミュレーション、経験的測定などに基づいて決定できる。いずれの場合にも、ＰＡＰＲ検出器５５０は、計算されたＰＡＰＲがＰＡＰＲ閾値を超える場合に、高ＰＡＰＲを検出できる。高ＰＡＰＲが検出されない場合、下流信号が変調器５４２によって調整（たとえば、フィルタ処理、および増幅）されて、下流中継信号が生成され得、この信号は、デュプレクサ／スイッチ５４６を介して配信され、下流局１２２に送信され得る。逆に、高ＰＡＰＲが検出された場合、ＰＡＰＲ検出器５５０は、ＮＡＣＫ  Ｔｙｐｅ  １を提供できる。ＮＡＣＫ  Ｔｙｐｅ  １を備えるフィードバック情報は、送信フィードバックプロセッサ５４０（図３の送信プロセッサ３４０の一部であり得る）によって処理（たとえば符号化、およびシンボルマッピング）され、変調器５４２によってさらに処理され、デュプレクサ／スイッチ５４６を介して配信され、上流局１１８に送信され得る。
【００４０】
下流局１２２は、中継局１２０から下流中継信号を受信できる。受信信号は、デュプレクサ／スイッチ５７６を介して配信され、復調器５７８によって処理されて、入力サンプルが取得され得る。復調器５７８は、（たとえば、ＯＦＤＭ、ＳＣ−ＦＤＭなどで）入力サンプルにおいて復調を実行して、受信シンボルを取得することもできる。次いで、チャネル復号器５８０（図３の受信プロセッサ３２０または３８０の一部であり得る）は、受信シンボルを処理（たとえシンボルデマッピング、デインターリーブ、および復号）して、復号されたパケットを取得できる。チャネル復号器５８０は、パケットが正しく復号されたか、誤って復号されたかを決定するために、パケットのＣＲＣに基づいて、復号されたパケットをチェックすることもできる。チャネル復号器５８０は、パケットが誤って復号された場合に、ＮＡＣＫ  Ｔｙｐｅ  ２を提供することができ、パケットが正しく復号された場合に、ＡＣＫを提供できる。
【００４１】
送信フィードバックプロセッサ５７０（図３の送信プロセッサ３１０または３７０の一部であり得る）は、フィードバック情報を受信することができ、これは、チャネル復号器５８０からのＡＣＫまたはＮＡＣＫ  Ｔｙｐｅ  ２、およびチャネルプロセッサ（図５には図示せず）からのＣＱＩを備え得る。フィードバック情報は、送信フィードバックプロセッサ５７０によって処理（たとえば符号化、インターリーブ、およびシンボルマッピング）され、変調器５７２によってさらに処理され、デュプレクサ／スイッチ５７６を介して配信され、中継局１２０および／または上流局１１８に送信され得る。
【００４２】
図５に、ＡＦモードで動作する中継局１２０のＮＡＣＫ  Ｔｙｐｅ  １フィードバックをサポートする、上流局１１８と、中継局１２０と、下流局１２２との例示的な設計を示す。中継局１２０によるＮＡＣＫ  Ｔｙｐｅ  １フィードバックは、他の方法でサポートすることもできる。たとえば、上流局１１８は、ＨＡＲＱ送信のＰＡＰＲを計算することができ、ＨＡＲＱ送信とともにインバンドチャネル、ページングチャネル、専用のＰＡＰＲチャネル、または何らかの他のチャネル上でＰＡＰＲを送ることができる。中継局１２０は、上流局１１８からＨＡＲＱ送信のＰＡＰＲを受信することができ、ＰＡＰＲを計算しない場合がある。中継局１２０は、受信されたＰＡＰＲをＰＡＰＲ閾値と比較することができ、ＰＡＰＲ閾値は、下流局１２２の復号機能、中継局１２０および／または下流局１２２によって観察されるチャネル状態、上流局１１８によって使用されるバックオフ、および／または他の基準に基づいて設定できる。中継局１２０は、他の方法で高ＰＡＰＲを検出することもできる。
【００４３】
図４Ａ、図４Ｂ、および図５に示すように、上流局１１８がＰＡＰＲの低減のためにＰＡＰＲ符号化を実行しないときでも、中継局１２０は、ＮＡＣＫ  Ｔｙｐｅ  １フィードバックをサポートできる。中継局１２０によるＰＡＰＲ検出は、あまり計算集約的ではない可能性があり、中継局１２０の「フロントエンド」によって実行することができ、遅延がより短くなり得る。下流局１２２によるチャネル復号は、より計算集約的であり得、下流局１２２の「バックエンド」によって実行することができ、遅延がより長くなり得る。高ＰＡＰＲが検出されるとき、チャネル復号はより強力であり得るが、失敗する可能性がある。したがって、高ＰＡＰＲの場合にＮＡＣＫ  Ｔｙｐｅ  １を送信することによって、再送のためのより少ない遅延をもたらす可能性があり、下流局１２２による計算を低減できる。チャネル復号の失敗のためにＮＡＣＫ  Ｔｙｐｅ  ２を送信することは、再送のために復号性能を向上させる可能性がある。したがって、中継局１２０および下流局１２２によるＮＡＣＫフィードバックの２つのレベルは、遅延を低減し、性能を向上させることができる。
【００４４】
別の態様では、中継局１２０は、ＡＦモードまたはＤＦモードのいずれかで動作するように構成可能とすることができる。ＡＦモードは、待ち時間がより少なく、中継局１２０のための処理がより少なく、場合によっては、いくつかの動作シナリオ下で、より良好な性能を有し得る。ＤＦモードは、待ち時間がより多く、誤り率がより低く、場合によっては、他の動作シナリオ下で、より良好な性能を有し得る。良好なパフォーマンスを得るために、様々な基準に基づいて、ＡＦモードまたはＤＦモードを選択できる。
【００４５】
１つの設計では、ＡＦモードまたはＤＦモードは、ホップ距離に基づいて選択できる。ＡＦモードは、ホップ距離が小さいときに選択することができ、この場合より良好な性能を有し得る。逆に、ＤＦモードは、ホップ距離が大きいときに選択することができ、この場合より良好な性能を有し得る。
【００４６】
１つの設計では、ホップ距離は、（ｉ）中継局１２０と下流局１２２との間の第１の距離、および（ｉｉ）中継局１２０と上流局１１８との間の第２の距離のうちのより大きいものに等しくなるように設定され得る。ホップ距離が、距離閾値と比較され得る。ホップ距離が距離閾値未満である場合、ＡＦモードが選択され得る。ホップ距離が距離閾値を上回る場合、ＤＦモードが選択され得る。中継局１２０、下流局１２２、および／または上流局１１８は、モバイルでもよく、第１の距離および／または第２の距離は、時間とともに変化し得る。ホップ距離は、定期的に決定することができ、ホップ距離が決定されるときはいつでも、ＡＦモードまたはＤＦモードを選択できる。
【００４７】
別の設計では、ＡＦモードまたはＤＦモードは、中継局１２０および／または下流局１２２によって観察される予想されるチャネル状態に基づいて選択できる。チャネル状態が良好であるとき、ＡＦモードは、より良好な性能を有している可能性があり、選択され得る。逆に、チャネル状態が劣るとき、ＤＦモードは、より良好な性能を有している可能性があり、選択され得る。チャネル状態は、信号対雑音比（ＳＮＲ）、ＢＥＲ、ＰＥＲ、または何らかの他のリンク基準によって数量化できる。１つの設計では、ＳＮＲは、中継局１２０によって観察される第１のＳＮＲおよび下流局１２２によって観察される第２のＳＮＲのうちのより低いものに等しくなるように設定され得る。ＳＮＲは、ＳＮＲ閾値と比較され得る。ＳＮＲがＳＮＲ閾値を上回る場合、ＡＦモードが選択され得る。ＳＮＲがＳＮＲ閾値未満である場合、ＤＦモードが選択され得る。別の設計では、ＢＥＲは、中継局１２０によって観察される第１のＢＥＲおよび下流局１２２によって観察される第２のＢＥＲのうちのより高いものに等しくなるように設定され得る。ＢＥＲは、ＢＥＲ閾値と比較され得る。ＢＥＲがＢＥＲ閾値未満である場合、ＡＦモードが選択され得る。ＢＥＲがＢＥＲ閾値を上回る場合、ＤＦモードが選択され得る。ＳＮＲまたはＢＥＲは、定期的に決定することができ、ＳＮＲまたはＢＥＲが決定されるときはいつでも、ＡＦモードまたはＤＦモードを選択できる。ＡＦモードまたはＤＦモードは、測定基準に適切な閾値を使用した類似の方法で、ＰＥＲまたは何らかの他のリンク基準に基づいて選択することもできる。
【００４８】
さらに別の設計では、ＡＦモードまたはＤＦモードは、ネットワーク管理に基づいて選択できる。たとえば、より短い待ち時間が望まれるとき、ＡＦモードが選択され得る。逆に、より低いＢＥＲが望まれるとき、ＤＦモードが選択され得る。ネットワーク管理のための他の基準に基づいて、ＡＦモードまたはＤＦモードを選択することもできる。たとえば、チャネルを介して送られたデータのＢＥＲが低いなど、良好なチャネルがある場合、ＡＦモードが選択され得る。ＢＥＲが閾値を超える場合、ＤＦモードが選択され得る。
【００４９】
１つの設計では、中継局１２０は、パイロットまたは基準信号を定期的に送信することができ、これは１つまたは複数のリンク基準を決定するために使用され得る。たとえば、パイロットまたは基準信号は、上流局１１８または下流局１２２によって往復遅延（ＲＴＤ）を決定するために使用することができ、これは中継局１２０と上流または下流局との間のホップ距離を計算するために使用され得る。パイロットまたは基準信号は、たとえばＳＮＲ、信号強度、チャネルインパルス応答など、チャネル状態を決定するために使用することもできる。中継局１２０は、上流局または下流局によって定期的に送信されるパイロットまたは基準信号に基づいて、上流局または下流局から中継局１２０へのリンクのための１つまたは複数のリンク基準を決定することもできる。
【００５０】
さらに別の態様では、中継局１２０は、ＤＦモードで動作するとき、ＮＡＣＫ  Ｔｙｐｅ  １およびＮＡＣＫ  Ｔｙｐｅ  ２をサポートできる。上流局１１８は、チャネル符号化を伴い、ＰＡＰＲ符号化を伴うまたは伴わないパケットの送信を送ることができる。中継局１２０は、上流局１１８からパケットの送信を受信できる。中継局１２０は、高ＰＡＰＲを検出するためにＰＡＰＲ検出を実行することができ、またはＰＡＰＲ復号を実行できる。高ＰＡＰＲが検出された場合、またはＰＡＰＲ復号が失敗した場合に、中継局１２０は、ＮＡＣＫ  Ｔｙｐｅ  １を送ることができる。高ＰＡＰＲが検出されない場合、またはＰＡＰＲ復号がパスした場合に、中継局１２０は、パケットを復号できる。中継局１２０は、パケットが誤って復号された場合に、ＮＡＣＫ  Ｔｙｐｅ  ２を送ることができ、パケットが正しく復号された場合に、ＡＣＫを送ることができる。上流局１１８は、ＮＡＣＫ  Ｔｙｐｅ  １またはＮＡＣＫ  Ｔｙｐｅ  ２が中継局１２０から受信された場合に、パケットの別の送信を送ることができる。
【００５１】
図６に、ＮＡＣＫ  Ｔｙｐｅ  １およびＮＡＣＫ  Ｔｙｐｅ  ２によるＤＦモードの中継局１２０を介したデータ送信についてのメッセージフロー６００の設計を示す。上流局１１８は、チャネル符号化を伴い、場合によってはＰＡＰＲ符号化を伴うパケットのＨＡＲＱ送信を生成できる。上流局１１８は、下流局１２２へのＨＡＲＱ送信を送ることができる（ステップ１）。中継局１２０は、上流局１１８からＨＡＲＱ送信を受信することができ、ＰＡＰＲ検出またはＰＡＰＲ復号を実行できる（ステップ２）。高ＰＡＰＲが検出された場合、またはＰＡＰＲ復号が失敗した場合に、中継局１２０は、ＮＡＣＫ  Ｔｙｐｅ  １を上流局１１８に送ることができる（ステップ３）。高ＰＡＰＲが検出されない場合、またはＰＡＰＲ復号がパスした場合に、中継局１２０は、チャネル復号を実行できる（ステップ４）。チャネル復号が失敗した場合に、中継局１２０は、ＮＡＣＫ  Ｔｙｐｅ  ２を上流局１１８に送ることができる（ステップ５）。チャネル復号がパスした場合に、中継局１２０は、下流局１２２にＨＡＲＱ送信を転送することができ、上流局１１８にＡＣＫを送ることができる（ステップ６）。
【００５２】
下流局１２２は、中継局１２０からＨＡＲＱ送信を受信することができ、ＰＡＰＲ検出、またはＰＡＰＲ復号、および／またはチャネル復号を実行できる（ステップ７）。下流局１２２は、高ＰＡＰＲが検出された場合、またはＰＡＰＲ復号が失敗した場合に、ＮＡＣＫ  Ｔｙｐｅ  １を送ることができ、チャネル復号が失敗した場合に、ＮＡＣＫ  Ｔｙｐｅ  ２を送ることができ、チャネル復号がパスした場合に、ＡＣＫを送ることができる（ステップ８）。中継局１２０は、下流局１２２からＮＡＣＫ  Ｔｙｐｅ  １、ＮＡＣＫ  Ｔｙｐｅ  ２、またはＡＣＫを受信することができ、上流局１１８に、ＡＣＫまたはＮＡＣＫを転送できる（ステップ９）。
【００５３】
上流局１１８は、中継局１２０または下流局１２２からＮＡＣＫ  Ｔｙｐｅ  １またはＮＡＣＫ  Ｔｙｐｅ  ２が受信された場合に、パケットの別のＨＡＲＱ送信を送ることができる（ステップ１０）。上流局１１８は、中継局１２０または下流局１２２からＡＣＫが受信された場合に、パケットの送信を終了できる。
【００５４】
図７に、図６のメッセージフロー６００をサポートし得る上流局１１８および中継局１２０の別の設計のブロック図を示す。上流局１１８で、チャネル符号器７１０（図３の送信プロセッサ３１０または３７０の一部であり得る）は、下流局１２２に送るべきデータのパケットを受信することができ、パケットを処理して、対応する符号化パケットを取得できる。ＨＡＲＱでは、チャネル符号器７１０は、符号化パケットを、ＨＡＲＱ送信ごとに１ブロックの、複数のブロックのコードビットに分割できる。また、チャネル符号器７１０は、コードビットの各ブロックをインターリーブ（またはリオーダー）することができ、インターリーブされたビットをデータシンボルにマッピングできる。
【００５５】
ＰＡＰＲ符号器７１２（送信プロセッサ３１０または３７０の一部であり得る）は、ＰＡＰＲ低減のためにデータシンボルの各ブロックを処理することができ、出力信号においてより低いＰＡＰＲを有する出力シンボルの対応するブロックを提供できる。ＰＡＰＲ符号器７１２は、選択的マッピング（ＳＭ）、部分的送信シーケンス（ＰＴＳ）など、ＰＡＰＲ低減技法を実施できる。選択的マッピングでは、ＰＡＰＲ符号器７１２は、データシンボルの１ブロックを、すべてが同じ情報を表す１組のシンボルシーケンスにマッピングできる。次いで、ＰＡＰＲ符号器７１２は、送信のために最も低いＰＡＰＲを有するシンボルシーケンスを選択できる。部分的送信シーケンスでは、ＰＡＰＲ符号器７１２は、類似の情報を伝達する１組のシンボルシーケンスを取得するために、データシンボルの１ブロックの位相を回転させることができ、送信のために最も低いＰＡＰＲを有するシンボルシーケンスを選択できる。ＰＡＰＲ符号器７１２は、送信される選択されたシンボルシーケンスを示し得るサイド情報を提供できる。ＰＡＰＲ符号器７１２は、他のＰＡＰＲ低減技法を実施することもできる。ＰＡＰＲ符号器７１２は、チャネル符号器７１０から受信された制御シンボルおよびパイロットシンボルを渡すこともできる。ＰＡＰＲ符号器７１２からのシンボルは、変調器７１４によって処理され、デュプレクサ／スイッチ７１６を介して配信され、中継局１２０に送信され得る。
【００５６】
中継局１２０は、上流局１１８から信号を受信できる。受信信号は、デュプレクサ／スイッチ７４４を介して配信され、復調器７４６によって調整されて、入力サンプルが取得され得る。復調器７４６はさらに、（たとえば、ＯＦＤＭ、ＳＣ−ＦＤＭなどで）入力サンプルを処理して、受信シンボルを取得できる。ＰＡＰＲ復号器７４８（図３の受信プロセッサ３５０の一部であり得る）は、上流局１１８によって実行されるＰＡＰＲ符号化を補足する方法で、受信シンボルにおいてＰＡＰＲ復号を実行できる。ＰＡＰＲ復号は、（ｉ）上流局１１８によって送られる場合、サイド情報に基づいて、または（ｉｉ）送信されたかもしれない可能性があるすべてのシンボルシーケンスについて盲目的に実行され得る。ＰＡＰＲ復号器７４８は、ＰＡＰＲ復号が失敗した場合に、ＮＡＣＫ  Ｔｙｐｅ  １を提供することができ、ＰＡＰＲ復号がパスした場合に、復調されたシンボルを提供できる。チャネル復号器７５０（図３の受信プロセッサ３５０の一部でもあり得る）は、復調されたシンボルを処理（たとえばシンボルデマッピング、デインターリーブ、および復号）して、復号されたパケットを取得できる。チャネル復号器７５０は、パケットが正しく復号されたか、誤って復号されたかを決定するために、そのパケットのＣＲＣに基づいて、復号されたパケットをチェックすることもできる。チャネル復号器７５０は、パケットが誤って復号された場合に、ＮＡＣＫ  Ｔｙｐｅ  ２を提供することができ、またはパケットが正しく復号された場合に、ＡＣＫを提供できる。
【００５７】
中継局１２０は、ＰＡＰＲ復号器７４８からのＮＡＣＫ  Ｔｙｐｅ  １、またはチャネル復号器７５０からのＮＡＣＫ  Ｔｙｐｅ  ２またはＡＣＫを備え得るフィードバック情報を生成できる。フィードバック情報は、送信フィードバックプロセッサ７４０（図３の送信プロセッサ３４０の一部であり得る）によって処理され、変調器７４２によってさらに処理され、デュプレクサ／スイッチ７４４を介して配信され、上流局１１８に送信され得る。
【００５８】
上流局１１８は、中継局１２０から信号を受信することができ、受信信号は、デュプレクサ／スイッチ７１６を介して配信され、復調器７１８によって処理されて、受信シンボルが取得され得る。受信フィードバックプロセッサ７２０（図３の受信プロセッサ３２０または３８０の一部であり得る）は、受信シンボルを処理して、中継局１２０によって送られたフィードバック情報を回復できる。上流局１１８は、フィードバック情報に基づいてデータ送信を制御できる。たとえば、上流局１１８は、（ｉ）ＮＡＣＫ  Ｔｙｐｅ  １が受信された場合、新しいＰＡＰＲ符号化、または（ｉｉ）ＮＡＣＫ  Ｔｙｐｅ  ２が受信された場合、新しいチャネル符号化および新しいＰＡＰＲ符号化を伴う、別のＨＡＲＱ送信を生成できる。次いで、上流局１１８は、パケットのＨＡＲＱ送信を送ることができる。上流局１１８は、ＡＣＫが中継局１２０から受信された場合に、パケットの送信を終了することもできる。
【００５９】
図７に、２レベルのＡＣＫ／ＮＡＣＫフィードバックをサポートする上流局１１８および中継局１２０の例示的な設計を示す。第１のレベルでは、ＰＡＰＲ復号器７４８は、受信シンボルにおいてＰＡＰＲ復号を実行し、受信シンボルシーケンスが、（サイド情報が送られる場合）選択されたシンボルシーケンスに十分に近い（たとえば距離）か、（サイド情報が送られない場合）有効なシンボルシーケンスに十分に近いかを決定できる。受信シンボルシーケンスが、選択されたシンボルシーケンスまたは有効なシンボルシーケンスに十分に近くはない場合、ＰＡＰＲ復号器７４８は、ＮＡＣＫ  Ｔｙｐｅ  １を提供できる。中継局１２０は、ＮＡＣＫ  Ｔｙｐｅ  １を上流局１１８に送ることができ、上流局１１８は、ＮＡＣＫ  Ｔｙｐｅ  １に応答して別のシンボルシーケンスを中継局１２０に送信できる。ＮＡＣＫ  Ｔｙｐｅ  １が生成され、送られる場合、中継局１２０は、チャネル復号をスキップできる。
【００６０】
第２のレベルでは、チャネル復号器７５０は、ＰＡＰＲ復号器７４８から復調されたシンボルを復号して、復号されたパケットを取得することができ、復号されたパケットにおいてＣＲＣチェックを実行できる。チャネル復号器７５０は、パケットが誤って復号された場合に、ＮＡＣＫ  Ｔｙｐｅ  ２を提供することができ、パケットが正しく復号された場合に、ＡＣＫを提供できる。中継局１２０は、ＮＡＣＫ  Ｔｙｐｅ  ２またはＡＣＫを上流局１１８に送ることができ、上流局はＮＡＣＫ  Ｔｙｐｅ  ２に応答して別のＨＡＲＱ送信を送ることができ、またはＡＣＫに応答してパケットの送信を終了できる。
【００６１】
別の設計では、上流局１１８は、チャネル符号化を伴い、ＰＡＰＲ符号化を伴わないパケットのＨＡＲＱ送信を生成できる。この設計では、上流局１１８は、図５に示すように実施できる。中継局１２０は、ＰＡＰＲ検出およびチャネル復号を実行することができ、図５のＰＡＰＲ検出器５５０および図７のチャネル復号器７５０により実施できる。
【００６２】
上記のように、中継局１２０は、（たとえば、ホップ距離または何らかの他の基準に基づいて）ＡＦモードまたはＤＦモードのいずれかで動作するように構成可能とすることができる。１つの設計では、中継局１２０は、たとえば、図４Ａ、図４Ｂ、および図５に示すように、ＡＦモードで動作するとき、ＮＡＣＫ  Ｔｙｐｅ  １のフィードバックをサポートできる。中継局１２０は、たとえば、図６および図７に示すように、ＤＦモードで動作するとき、ＮＡＣＫ  Ｔｙｐｅ  １およびＮＡＣＫ  Ｔｙｐｅ  ２のフィードバックをサポートできる。
【００６３】
さらに別の態様では、上流局１１８および下流局１２２は、各々構成可能とすることができ、単一レベルまたはマルチレベルのＮＡＣＫフィードバックをサポートできる。たとえば、ＮＡＣＫ  Ｔｙｐｅ  ２のみを含む単一レベルのＮＡＣＫフィードバック、またはＮＡＣＫ  Ｔｙｐｅ  １とＮＡＣＫ  Ｔｙｐｅ  ２の両方を含む２レベルのＮＡＣＫフィードバックは、中継局１２０の機能、下流局１２２の機能、チャネル状態などに基づいて、上流局１１８のために選択され得る。同様に、単一レベルのＮＡＣＫフィードバックまたは２レベルのＮＡＣＫフィードバックは、中継局１２０の機能、上流局１１８の機能、チャネル状態などに基づいて、下流局１２２のために選択され得る。
【００６４】
図８に、通信をサポートするためのプロセス８００の設計を示す。プロセス８００は、（以下で説明するように）中継局によって、または何らかの他のエンティティによって実行され得る。中継局は、上流局からパケットの第１の送信を受信できる（ブロック８１２）。中継局は、第１の送信のＰＡＰＲを決定できる（ブロック８１４）。１つの設計では、中継局は、第１の送信のＰＡＰＲを計算できる。別の設計では、中継局は、上流局から第１の送信のＰＡＰＲを受信できる。
【００６５】
中継局は、第１の送信の高ＰＡＰＲを検出できる（ブロック８１６）。１つの設計では、中継局は、第１の送信のＰＡＰＲを閾値と比較できる。閾値は、下流局の復号機能、下流局および／または中継局によって観察されるチャネル状態、上流局での電力増幅器のバックオフ、および／または他の基準に基づいて決定できる。第１の送信のＰＡＰＲが閾値を超える場合、中継局は、高ＰＡＰＲを検出できる。
【００６６】
中継局は、第１の送信について高ＰＡＰＲが検出された場合に、上流局にＮＡＣＫを送ることができる（ブロック８１８）。中継局は、第１の送信について高ＰＡＰＲが検出されない場合に、下流局に第１の送信を転送できる（ブロック８２０）。ブロック８２０の１つの設計では、中継局は、上流局から第１の送信を備える信号を増幅することができ、パケットを回復するために、第１の送信を復号することなく、増幅信号を下流局に送信できる。
【００６７】
中継局は、第１の送信について高ＰＡＰＲが検出された場合に、下流局に第１の送信を転送することをスキップできる（ブロック８２２）。第１の送信についてＮＡＣＫが上流局に送られる場合に、中継局は、パケットの第２の送信を受信できる。第１および第２の送信は、パケットの異なる冗長情報を備えることができ、異なるＰＡＰＲを有することができる。
【００６８】
図９に、データを送信するためのプロセス９００の設計を示す。プロセス９００は、ダウンリンク上でのデータ送信のための基地局、またはアップリンク上でのデータ送信のためのワイヤレスデバイスとすることができる上流局によって実行できる。上流局は、下流局に転送するために、中継局にパケットの第１の送信を送ることができる（ブロック９１２）。中継局からＮＡＣＫ  Ｔｙｐｅ  １が受信された場合、上流局は、中継局にパケットの第２の送信を送ることができる（ブロック９１４）。ＮＡＣＫ  Ｔｙｐｅ  １は、第１の送信について高ＰＡＰＲが検出されたために、中継局によって送られ得る。中継局からＮＡＣＫ  Ｔｙｐｅ  １が受信された場合、上流局は、少なくとも１つの送信パラメータを調整できる。たとえば、上流局は、ＮＡＣＫ  Ｔｙｐｅ  １を受信することに応答して、上流局で電力増幅器のバックオフを増加させることができる。また、下流局からＮＡＣＫ  Ｔｙｐｅ  ２が受信された場合、上流局は、中継局にパケットの第２の送信を送ることができる（ブロック９１６）。ＮＡＣＫ  Ｔｙｐｅ  ２は、パケットが誤って復号されたために、下流局によって送られ得る。
【００６９】
図１０に、通信をサポートするためのプロセス１０００の設計を示す。プロセス１０００は、（以下で説明するように）中継局によって、または何らかの他のエンティティによって実行され得る。中継局は、ＡＦモードまたはＤＦモードで動作する旨の指示を取得できる（ブロック１０１２）。１つの設計では、中継局は、ＡＦモードまたはＤＦモードを選択できる。別の設計では、中継局は、基地局または何らかの他のネットワークエンティティからＡＦモードまたはＤＦモードで動作する旨の指示を受信できる。両方の設計について、ＡＦモードまたはＤＦモードは、たとえばホップ距離、受信信号品質、ＢＥＲ、ＰＥＲなど１つまたは複数の基準に基づいて選択され得る。たとえば、ホップ距離が閾値未満である場合、ＡＦモードが選択され得、ホップ距離が閾値を超える場合、ＤＦモードが選択され得る。
【００７０】
中継局は、ＡＦモードが選択された場合に、上流局と下流局との間の通信をサポートするために、信号を増幅し、転送できる（ブロック１０１４）。１つの設計では、中継局は、上流局から第１の信号を受信し、第１の信号を増幅して第２信号を取得し、第２信号を下流局に送信できる。
【００７１】
中継局は、ＤＦモードが選択された場合に、上流局と下流局との間の通信をサポートするために、信号を復号し、転送できる（ブロック１０１６）。１つの設計では、中継局は、上流局から第１の信号を受信し、復号データを取得するために第１の信号を復号し、復号データに基づいて第２の信号を生成し、第２の信号を下流局に送信できる。
【００７２】
１つの設計では、中継局は、ＡＦモードでＰＡＰＲ検出をサポートできる。この設計では、中継局は、上流局から受信された信号のＰＡＰＲを決定することができ、信号について高ＰＡＰＲが検出された場合に、上流局にＮＡＣＫ  Ｔｙｐｅ  １を送ることができる。別の設計では、中継局は、ＡＦモードでＰＡＰＲ検出をサポートしない場合がある。この設計では、中継局は、上流局にＮＡＣＫ  Ｔｙｐｅ  １を送ることなく、単に、上流局から受信された信号を増幅し、転送できる。
【００７３】
１つの設計では、中継局は、ＤＦモードでＰＡＰＲ復号およびチャネル復号をサポートできる。この設計では、中継局は、上流局から受信された信号についてＰＡＰＲ復号を実行することができ、ＰＡＰＲ復号がパスした場合に、復号データを取得するために、信号についてチャネル復号を実行できる。ＰＡＰＲ復号が失敗した場合、中継局は、上流局にＮＡＣＫ  Ｔｙｐｅ  １を送ることができる。チャネル復号が失敗した場合、中継局は、上流局にＮＡＣＫ  Ｔｙｐｅ  ２を送ることができる。別の設計では、中継局は、ＤＦモードでＰＡＰＲ検出およびチャネル復号をサポートできる。この設計では、中継局は、上流局から受信された信号のＰＡＰＲを決定することができ、信号について高ＰＡＰＲが検出された場合、上流局にＮＡＣＫ  Ｔｙｐｅ  １を送ることができる。高ＰＡＰＲが検出されない場合、中継局は、復号データを取得するためにチャネル復号を実行できる。チャネル復号が失敗した場合、中継局は、上流局にＮＡＣＫ  Ｔｙｐｅ  ２を送ることができる。さらに別の設計では、中継局は、ＤＦモードでチャネル復号のみをサポートできる。この設計では、中継局は、復号データを取得するためにチャネル復号を実行することができ、チャネル復号が失敗した場合、上流局にＮＡＣＫ  Ｔｙｐｅ  ２を送ることができる。
【００７４】
図１１に、通信をサポートするためのプロセス１１００の設計を示す。プロセス１１００は、（以下で説明するように）中継局によって、または何らかの他のエンティティによって実行され得る。中継局は、上流局からパケットの第１の送信を受信できる（ブロック１１１２）。中継局は、たとえば、選択的マッピング、部分的送信シーケンス、または上流局によって使用される何らかの他のＰＡＰＲ低減技法に基づいて、第１の送信についてＰＡＰＲ復号を実行できる（ブロック１１１４）。ＰＡＰＲ復号が失敗した場合、中継局は、上流局にＮＡＣＫ  Ｔｙｐｅ  １を送ることができる（ブロック１１１６）。ＰＡＰＲ復号が失敗した場合、中継局は、パケットについてのチャネル復号をスキップできる。
【００７５】
ＰＡＰＲ復号がパスした場合、中継局は、第１の送信に基づいてパケットについてのチャネル復号を実行できる（ブロック１１１８）。パケットが誤って復号された場合、中継局は、上流局にＮＡＣＫ  Ｔｙｐｅ  ２を送ることができる（ブロック１１２０）。パケットが正しく復号された場合、中継局は、下流局にパケットの第１の送信を送ることができる（ブロック１１２２）。
【００７６】
第１の送信についてＮＡＣＫ  Ｔｙｐｅ  １またはＮＡＣＫ  Ｔｙｐｅ  ２が送られる場合、中継局は、上流局からパケットの第２の送信を受信できる。中継局は、第２の送信についてＰＡＰＲ復号を実行することができ、ＰＡＰＲ復号が失敗した場合、上流局にＮＡＣＫ  Ｔｙｐｅ  １を送ることができる。ＰＡＰＲ復号がパスした場合、中継局は、第１および第２の送信に基づいてパケットについてのチャネル復号を実行できる。中継局は、パケットの２つのＨＡＲＱ送信であり得るパケットの第１および第２の送信に基づいて、パケットが誤って復号された場合、ＮＡＣＫ  Ｔｙｐｅ  ２を上流局に送ることができる。
【００７７】
情報および信号は様々な異なる技術および技法のいずれかを使用して表すことができることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７８】
さらに、本明細書の開示に関連して説明した様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装できるが、そのような実装の決定は、本開示の範囲からの逸脱を生じるものと解釈すべきではない。
【００７９】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００８０】
本明細書の開示に関して説明した方法またはアルゴリズムのステップは、直接ハードウェアで実施するか、プロセッサによって実行されるソフトウェアモジュールで実施するか、またはその２つの組合せで実施できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐できる。例示的な記憶媒体は、プロセッサが記憶媒体から情報を読み取り、記憶媒体に情報を書き込むことができるように、プロセッサに結合される。代替として、記憶媒体はプロセッサに一体化できる。プロセッサおよび記憶媒体はＡＳＩＣ中に常駐できる。ＡＳＩＣは、ユーザ端末内に常駐できる。代替として、プロセッサおよび記憶媒体は、ユーザ端末内に個別構成要素として常駐することもできる。
【００８１】
１つまたは複数の例示的な設計では、説明した機能を、ハードウェア、ソフトウェア、ファームウェア、または任意のそれらの組合せで実装できる。ソフトウェアで実装する場合、機能は、１つまたは複数の命令またはコードとしてコンピュータ可読媒体上に記憶するか、あるいはコンピュータ可読媒体を介して送信できる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー(登録商標)ディスク（disk）およびブルーレイ(登録商標)ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００８２】
本開示の前述の説明は、いかなる当業者でも本開示を作成または使用できるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
なお、以下に、出願当初の特許請求の範囲に記載された発明を付記する。
［特許請求の範囲］
［Ｃ１］
ワイヤレス通信のための方法であって、
中継局で上流局からのパケットの第１の送信を受信することと、
前記第１の送信のピーク平均電力比（ＰＡＰＲ）を決定することと、
前記第１の送信について高ＰＡＰＲが検出された場合に、否定応答（ＮＡＣＫ）を前記上流局に送ることと、
前記第１の送信について高ＰＡＰＲが検出されない場合に、下流局に前記第１の送信を転送することと
を備える方法。
［Ｃ２］
前記第１の送信について高ＰＡＰＲが検出された場合に、前記第１の送信を前記下流局に転送しないこと
をさらに備えるＣ１に記載の方法。
［Ｃ３］
前記第１の送信の前記ＰＡＰＲを前記決定することが、前記中継局によって前記第１の送信の前記ＰＡＰＲを計算することを備える、Ｃ１に記載の方法。
［Ｃ４］
前記第１の送信の前記ＰＡＰＲを前記決定することが、前記中継局から前記第１の送信の前記ＰＡＰＲを受信することを備える、Ｃ１に記載の方法。
［Ｃ５］
前記第１の送信の前記ＰＡＰＲを閾値と比較することと、
前記第１の送信の前記ＰＡＰＲが前記閾値を超える場合に、高ＰＡＰＲを検出することと
をさらに備える、Ｃ１に記載の方法。
［Ｃ６］
前記閾値が、前記下流局の復号機能、前記下流局によって観察されるチャネル状態、前記中継局によって観察されるチャネル状態、前記上流局での電力増幅器のバックオフ、またはそれらの組合せに基づいて決定される、Ｃ５に記載の方法。
［Ｃ７］
前記第１の送信を前記転送することが、
前記上流局から前記第１の送信を備える信号を受信することと、
前記受信信号を増幅して増幅信号を取得することと、
前記パケットを回復するために、前記第１の送信を復号することなく、前記下流局に前記増幅信号を送信することと
を備える、Ｃ１に記載の方法。
［Ｃ８］
前記第１の送信について前記ＮＡＣＫが前記上流局に送られる場合に、前記パケットの第２の送信を受信することをさらに備え、前記第１および第２の送信が、前記パケットについての異なる冗長情報を備え、異なるＰＡＰＲを有する
Ｃ１に記載の方法。
［Ｃ９］
ワイヤレス通信のための装置であって、
中継局で上流局からのパケットの第１の送信を受信するための手段と、
前記第１の送信のピーク平均電力比（ＰＡＰＲ）を決定するための手段と、
前記第１の送信について高ＰＡＰＲが検出された場合に、否定応答（ＮＡＣＫ）を前記上流局に送るための手段と、
前記第１の送信について高ＰＡＰＲが検出されない場合に、下流局に前記第１の送信を転送するための手段と
を備える装置。
［Ｃ１０］
前記第１の送信について高ＰＡＰＲが検出された場合に、前記第１の送信を前記下流局に転送しないための手段
をさらに備えるＣ９に記載の装置。
［Ｃ１１］
前記第１の送信の前記ＰＡＰＲを閾値と比較するための手段と、
前記第１の送信の前記ＰＡＰＲが前記閾値を超える場合に、高ＰＡＰＲを検出するための手段と
をさらに備える、Ｃ９に記載の装置。
［Ｃ１２］
ワイヤレス通信のための装置であって、
中継局で上流局からのパケットの第１の送信を受信し、前記第１の送信のピーク平均電力比（ＰＡＰＲ）を決定し、前記第１の送信について高ＰＡＰＲが検出された場合に、否定応答（ＮＡＣＫ）を前記上流局に送り、前記第１の送信について高ＰＡＰＲが検出されない場合に、下流局に前記第１の送信を転送するように構成された少なくとも１つのプロセッサ
を備える装置。
［Ｃ１３］
前記少なくとも１つのプロセッサが、前記第１の送信について高ＰＡＰＲが検出された場合に、前記第１の送信を前記下流局に転送しないように構成された、Ｃ１２に記載の装置。
［Ｃ１４］
前記少なくとも１つのプロセッサが、前記第１の送信の前記ＰＡＰＲを閾値と比較し、前記第１の送信の前記ＰＡＰＲが前記閾値を超える場合に、高ＰＡＰＲを検出するように構成された、Ｃ１２に記載の装置。
［Ｃ１５］
少なくとも１つのコンピュータに、中継局で上流局からのパケットの第１の送信を受信させるためのコードと、
前記少なくとも１つのコンピュータに、前記第１の送信のピーク平均電力比（ＰＡＰＲ）を決定させるためのコードと、
前記第１の送信について高ＰＡＰＲが検出された場合に、前記少なくとも１つのコンピュータに、否定応答（ＮＡＣＫ）を前記上流局に送らせるためのコードと、
前記第１の送信について高ＰＡＰＲが検出されない場合に、前記少なくとも１つのコンピュータに、前記第１の送信を下流局に転送させるためのコードと
を備えるコンピュータ可読媒体
を備えるコンピュータプログラム製品。
［Ｃ１６］
ワイヤレス通信のための方法であって、
下流局に転送するために上流局からのパケットの第１の送信を中継局に送ることと、
前記中継局から第１のタイプの否定応答（ＮＡＣＫ Ｔｙｐｅ １）が受信された場合に、前記中継局に前記パケットの第２の送信を送ることであり、前記ＮＡＣＫ Ｔｙｐｅ １が、前記第１の送信について高ピーク平均電力比（ＰＡＰＲ）が検出されたために、前記中継局によって送られることと
を備える方法。
［Ｃ１７］
前記下流局から第２のタイプの否定応答（ＮＡＣＫ Ｔｙｐｅ ２）が受信された場合に、前記中継局に前記パケットの前記第２の送信を送ることであり、前記ＮＡＣＫ Ｔｙｐｅ ２が、前記パケットが誤って復号されたために、前記下流局によって送られること
をさらに備えるＣ１６に記載の方法。
［Ｃ１８］
前記中継局からＮＡＣＫ Ｔｙｐｅ １が受信された場合に、前記上流局の少なくとも１つの送信パラメータを調整すること
をさらに備えるＣ１６に記載の方法。
［Ｃ１９］
ワイヤレス通信のための装置であって、
下流局に転送するために上流局からのパケットの第１の送信を中継局に送るための手段と、
前記中継局から第１のタイプの否定応答（ＮＡＣＫ Ｔｙｐｅ １）が受信された場合に、前記中継局に前記パケットの第２の送信を送るための手段であり、前記ＮＡＣＫ Ｔｙｐｅ １が、前記第１の送信について高ピーク平均電力比（ＰＡＰＲ）が検出されたために、前記中継局によって送られる、手段と
を備える装置。
［Ｃ２０］
前記下流局から第２のタイプの否定応答（ＮＡＣＫ Ｔｙｐｅ ２）が受信された場合に、前記中継局に前記パケットの前記第２の送信を送るための手段であり、前記ＮＡＣＫ Ｔｙｐｅ ２が、前記パケットが誤って復号されたために、前記下流局によって送られる、手段
をさらに備えるＣ１９に記載の装置。
［Ｃ２１］
前記中継局からＮＡＣＫ Ｔｙｐｅ １が受信された場合に、前記上流局の少なくとも１つの送信パラメータを調整するための手段
をさらに備えるＣ１９に記載の装置。
［Ｃ２２］
ワイヤレス通信のための方法であって、
中継局によって増幅転送（ＡＦ）モードまたは復号転送（ＤＦ）モードで動作する旨の指示を取得することと、
前記ＡＦモードが選択された場合に、上流局と下流局との間の通信をサポートするために、前記中継局によって信号を増幅し、転送することと、
前記ＤＦモードが選択された場合に、前記上流局と前記下流局との間の通信をサポートするために、前記中継局によって信号を復号し、転送することと
を備える方法。
［Ｃ２３］
信号を前記増幅し、転送することが、
前記上流局から第１の信号を受信することと、
前記第１の信号を増幅して第２の信号を取得することと、
前記第２の信号を前記下流局に送信することと
を備える、Ｃ２２に記載の方法。
［Ｃ２４］
信号を前記復号し、転送することが、
前記上流局から第１の信号を受信することと、
前記第１の信号を復号して復号データを取得することと、
前記復号データに基づいて第２の信号を生成することと、
前記第２の信号を前記下流局に送信することと
を備える、Ｃ２２に記載の方法。
［Ｃ２５］
前記ＡＦモードの前記中継局によって前記上流局から信号を受信することと、
前記信号について高ピーク平均電力比（ＰＡＰＲ）が検出された場合に、前記上流局に第１のタイプの否定応答（ＮＡＣＫ Ｔｙｐｅ １）を送ることと
をさらに備えるＣ２２に記載の方法。
［Ｃ２６］
前記ＤＦモードの前記中継局によって前記上流局から信号を受信することと、
前記信号についてピーク平均電力比（ＰＡＰＲ）復号を実行することと、
前記ＰＡＰＲ復号がパスした場合に、復号データを取得するために、前記信号についてチャネル復号を実行することと
をさらに備えるＣ２２に記載の方法。
［Ｃ２７］
前記ＤＦモードの前記中継局によって前記上流局から信号を受信することと、
前記信号のピーク平均電力比（ＰＡＰＲ）を決定することと、
前記信号について高ＰＡＰＲが検出されない場合に、復号データを取得するために、前記信号についてチャネル復号を実行することと
をさらに備えるＣ２２に記載の方法。
［Ｃ２８］
前記ＤＦモードの前記中継局によって前記上流局から信号を受信することと、
前記信号について高ピーク平均電力比（ＰＡＰＲ）が検出された場合、またはＰＡＰＲ復号が失敗した場合に、前記上流局に第１のタイプの否定応答（ＮＡＣＫ Ｔｙｐｅ １）を送ることと、
前記信号についてチャネル復号が失敗した場合に、前記上流局に第２のタイプの否定応答（ＮＡＣＫ Ｔｙｐｅ ２）を送ることと
をさらに備えるＣ２２に記載の方法。
［Ｃ２９］
前記ＡＦモードまたは前記ＤＦモードが、ホップ距離、受信信号品質、ビット誤り率（ＢＥＲ）、パケット誤り率（ＰＥＲ）、またはそれらの組合せに基づいて選択される、Ｃ２２に記載の方法。
［Ｃ３０］
ホップ距離が閾値未満である場合に、前記ＡＦモードが選択され、前記ホップ距離が前記閾値を超える場合に、前記ＤＦモードが選択される、Ｃ２２に記載の方法。
［Ｃ３１］
前記指示を前記取得することが、基地局から前記ＡＦモードまたは前記ＤＦモードで動作する旨の指示を受信することを備え、前記基地局が前記上流局または前記下流局である、Ｃ２２に記載の方法。
［Ｃ３２］
ワイヤレス通信のための装置であって、
中継局によって増幅転送（ＡＦ）モードまたは復号転送（ＤＦ）モードで動作する旨の指示を取得するための手段と、
前記ＡＦモードが選択された場合に、上流局と下流局との間の通信をサポートするために、前記中継局によって信号を増幅し、転送するための手段と、
前記ＤＦモードが選択された場合に、前記上流局と前記下流局との間の通信をサポートするために、前記中継局によって信号を復号し、転送するための手段と
を備える方法。
［Ｃ３３］
前記ＡＦモードの前記中継局によって前記上流局から信号を受信するための手段と、
前記信号について高ピーク平均電力比（ＰＡＰＲ）が検出された場合に、前記上流局に第１のタイプの否定応答（ＮＡＣＫ Ｔｙｐｅ １）を送るための手段と
をさらに備えるＣ３２に記載の装置。
［Ｃ３４］
前記ＤＦモードの前記中継局によって前記上流局から信号を受信するための手段と、
前記上流局から前記信号についてのピーク平均電力比（ＰＡＰＲ）復号を実行するための手段と、
前記ＰＡＰＲ復号がパスした場合に、復号データを取得するために、前記信号についてチャネル復号を実行するための手段と
をさらに備えるＣ３２に記載の装置。
［Ｃ３５］
前記ＤＦモードの前記中継局によって前記上流局から信号を受信するための手段と、
前記信号のピーク平均電力比（ＰＡＰＲ）を決定するための手段と、
前記信号について高ＰＡＰＲが検出されない場合に、復号データを取得するために、前記信号についてチャネル復号を実行するための手段と
をさらに備えるＣ３２に記載の装置。
［Ｃ３６］
前記ＤＦモードの前記中継局によって前記上流局から信号を受信するための手段と、
前記信号について高ピーク平均電力比（ＰＡＰＲ）が検出された場合、またはＰＡＰＲ復号が失敗した場合に、前記上流局に第１のタイプの否定応答（ＮＡＣＫ Ｔｙｐｅ １）を送るための手段と、
前記信号についてチャネル復号が失敗した場合に、前記上流局に第２のタイプの否定応答（ＮＡＣＫ Ｔｙｐｅ ２）を送るための手段と
をさらに備えるＣ３２に記載の装置。
［Ｃ３７］
ワイヤレス通信のための方法であって、
中継局で上流局からのパケットの第１の送信を受信することと、
前記第１の送信についてピーク平均電力比（ＰＡＰＲ）復号を実行することと、
前記ＰＡＰＲ復号が失敗した場合に、前記上流局に第１のタイプの否定応答（ＮＡＣＫ Ｔｙｐｅ １）を送ることと、
前記ＰＡＰＲ復号がパスした場合に、前記第１の送信に基づいて前記パケットについてのチャネル復号を実行することと、
前記パケットが誤って復号された場合に、前記上流局に第２のタイプの否定応答（ＮＡＣＫ Ｔｙｐｅ ２）を送ることと
を備える方法。
［Ｃ３８］
前記ＰＡＰＲ復号が失敗した場合に、前記パケットについてのチャネル復号を実行しないこと
をさらに備えるＣ３７に記載の方法。
［Ｃ３９］
前記パケットが正しく復号された場合に、前記中継局からの前記パケットの前記第１の送信を下流局に送ること
をさらに備えるＣ３７に記載の方法。
［Ｃ４０］
ＰＡＰＲ復号を前記実行することが、選択的マッピング（ＳＭ）または部分的送信シーケンス（ＰＴＳ）に基づいて、前記第１の送信についてのＰＡＰＲ復号を実行することを備える、Ｃ３７に記載の方法。
［Ｃ４１］
前記第１の送信についてＮＡＣＫ Ｔｙｐｅ １またはＮＡＣＫ Ｔｙｐｅ ２が送られる場合に、前記上流局から前記パケットの第２の送信を受信すること
をさらに備えるＣ３７に記載の方法。
［Ｃ４２］
前記第２の送信についてＰＡＰＲ復号を実行することと、
前記第２の送信について前記ＰＡＰＲ復号が失敗した場合に、前記上流局にＮＡＣＫ Ｔｙｐｅ １を送ることと、
前記第２の送信について前記ＰＡＰＲ復号がパスした場合に、前記第１および第２の送信に基づいて前記パケットについてのチャネル復号を実行することと、
前記パケットが前記第１および第２の送信に基づいて誤って復号された場合に、前記上流局にＮＡＣＫ Ｔｙｐｅ ２を送ることと
をさらに備えるＣ４１に記載の方法。
［Ｃ４３］
前記パケットの前記第１および第２の送信が、前記パケットについての２つのハイブリッド自動再送（ＨＡＲＱ）送信である、Ｃ４１に記載の方法。
［Ｃ４４］
ワイヤレス通信のための装置であって、
中継局で上流局からのパケットの第１の送信を受信するための手段と、
前記第１の送信についてピーク平均電力比（ＰＡＰＲ）復号を実行するための手段と、
前記ＰＡＰＲ復号が失敗した場合に、前記上流局に第１のタイプの否定応答（ＮＡＣＫ Ｔｙｐｅ １）を送るための手段と、
前記ＰＡＰＲ復号がパスした場合に、前記第１の送信に基づいて前記パケットについてのチャネル復号を実行するための手段と、
前記パケットが誤って復号された場合に、前記上流局に第２のタイプの否定応答（ＮＡＣＫ Ｔｙｐｅ ２）を送るための手段と
を備える装置。
［Ｃ４５］
前記ＰＡＰＲ復号が失敗した場合に、前記パケットについてのチャネル復号を実行しないための手段
をさらに備えるＣ４４に記載の装置。
［Ｃ４６］
前記パケットが正しく復号された場合に、前記中継局からの前記パケットの前記第１の送信を下流局に送るための手段
をさらに備えるＣ４４に記載の装置。
【図１】
0005646735.tif 000005
【図２】
0005646735.tif 000006
【図３】
0005646735.tif 000007
【図４Ａ】
0005646735.tif 000008
【図４Ｂ】
0005646735.tif 000009
【図５】
0005646735.tif 000010
【図６】
0005646735.tif 000011
【図７】
0005646735.tif 000012
【図８】
0005646735.tif 000013
【図９】
0005646735.tif 000014
【図１０】
0005646735.tif 000015
【図１１】
0005646735.tif 000016